(57)【要約】【課題】  本発明は洗浄した袋１３やラップ１５、紙の空パック１６等のリサイクルに供せられる容器において、空気の通りを良くして乾燥を促進するため、袋１３を開いている状態、ラップ１５を広げている状態、あるいは紙の空パック１６等のリサイクルに供せられる容器の開口部１７を下にした状態を保持するための、乾燥用具を提供する。【解決手段】  耐水性のある素材より成る２本のアーム６をラチェット５により任意の角度で固定し、袋１３は袋の開口部１４を下にして開いている状態、ラップ１５等は広げている状態を保持しつつ、袋１３やラップ１５等を通して付設されている磁石１により金属面１２に固定し、紙の空パック１６等のリサイクルに供される容器は、容器の内側に挿入物が入らないようにアーム６の保持部７で外側から挟むことにより吊り下げて、アーム６の角度をラチェット５により固定して保持する。【選択図】  図１
2007068944.tif 000002
【特許請求の範囲】
【請求項１】
洗浄した袋やラップ等において、空気の通りを良くして乾燥を促進するために袋を開いている状態やラップを広げている状態を保持するため、耐水性のある素材より成る少なくとも２本のアームを任意の角度で固定し、袋は開口部を下にして開いている状態、ラップ等は広げている状態を保持しつつ、袋やラップ等を通して付設されている磁石により金属面に固定して保持することを特徴とした乾燥用具。
【請求項２】
洗浄し紙の空パック、ペットボトル、アルミまたは鉄の缶、トレイ等のリサイクルに供される容器において、空気の通りを良くして乾燥を促進するために紙の空パック等のリサイクルに供される容器の開口部を下にした状態を保持するため、容器の内側に挿入物が入らないように耐水性のある素材より成る少なくとも２本のアームの保持部で外側から挟むことにより吊り下げて、アームの角度を固定して保持することを特徴とした乾燥用具。
【請求項３】
請求項１および請求項２において、アームの位置を使用する対象物の形状に合わせ、任意の位置にラチェットでアームの固定できることを特徴とした乾燥用具。
【請求項４】
請求項１および請求項２において、アームの先端に指掛け孔および指掛け部を設置し、使用者の利便に資することを特徴とした乾燥用具。
【発明の詳細な説明】
【技術分野】  洗浄した袋やラップ、紙の空パック等のリサイクルに供せられる容器において、空気の通りを良くして乾燥を促進するため、袋を開いている状態、ラップを広げている状態、あるいは紙の空パック等のリサイクルに供せられる容器の開口部を下にした状態を保持することにより乾燥を促進させるための、乾燥用具に関するものである。
【背景技術】
【０００１】  近年、消費生活の需要の拡大から、消費者等から出されるゴミ問題が大きくクローズアップされて、ゴミ削減の要望からリサイクルの意識が高まっている。そのような要望のなかで、使用した袋やラップ等を洗浄して再利用する消費者は多い。【０００２】  また、紙の空パックやペットボトル、アルミまたは鉄の缶などは再生可能なリサイクル品として注目されており、ゴミ収集においても分別され、リサイクルに供される。【０００３】  しかし、このような容器がリサイクル品として分別され、搬出されるには、容器内の食品、飲料等が残らないように充分洗浄した後にリサイクル品として搬出する必要があり、消費者の中にはこの作業が面倒であるという理由から単なるゴミとして搬出する場合が少なくない。【０００４】  そこで最近は、より多くの消費者等が紙の空パック等の容器をリサイクル品として搬出してもらえるように、その容器の洗浄後の水切りが簡便に行える水切り用容器保持具が提案されている。【０００５】  しかし、上記器具は、常設であり、使わないときは邪魔になる上、容器の内側に挿入物を入れて支えるため、空気の通りを阻害し、効率よく乾燥させることが困難であった。【０００６】  また、従来、洗浄した袋やラップ等の乾燥を促進するために袋を開いている状態、あるいはラップ等を広げている状態を保持つための保持具はなく、任意の場所に洗濯バサミ等で止めて乾かしていたが、袋が開いている状態、あるいはラップを広げている状態を保持することは困難であった。
【発明の開示】
【発明が解決しようとする課題】
【０００７】  従来、洗浄した袋やラップ等の乾燥を促進するために袋を開いている状態、あるいはラップ等を広げている状態を保つための保持具はなかった。【０００８】  また、紙の空パック等のリサイクルに供される容器の内側に挿入物を入れずに、外側から挟むことにより吊り下げて保持する保持具はなかった。【０００９】  更に、紙の空パック等のリサイクルに供される容器の開口部を下にして保持する機能と洗浄した袋やラップ等の乾燥を促進するために袋を開いている状態、あるいはラップ等を広げている状態を保つ機能を併せ持つ保持具はなかった。【００１０】  本発明が解決しようとする課題はこれらの機能を併せ持つことによって、リサイクルをより促進させるための、乾燥用具を提供することである。【００１１】  本発明において前記ならびにその他の目的と新規な特徴は次の説明を添付図面と照らし合わせて読むと、より完全に明らかとなるであろう。ただし、図面はもっぱら解説のためのものであって、本発明の技術的範囲を限定するものではない。
【課題を解決するための手段】
【００１２】  これら課題を解決するため、本発明は耐水性のある素材より成る少なくとも２本のアーム６をラチェット５により任意の角度で固定し、袋１３を開いている状態、あるいはラップ１５等を広げている状態を保つ。【００１３】  袋１３を開いている状態、あるいはラップ１５等を広げている状態を保ちながら頭頂接続部３を介して付設されている頭頂部２の磁石１により金属面１２に固定して保持する。【００１４】  固定して保持する金属面１２は水平面でも垂直面でもあるいは任意の角度を持つ面でも良いが、袋１３、あるいはラップ１５等を乾燥させる場合は天井やキッチン等の上方に設置されている棚の底面等のように本発明を水平面に下方から固定できる場所のほうが、重力により袋１３、あるいはラップ１５等が垂れ下がるため固定する設置面との間に空間ができ、空気が効率よく循環されるのでより効果的である。【００１５】  また、本発明において紙の空パック１６等のリサイクルに供せられる容器の開口部１７を下にした状態を保持する場合は、耐水性のある素材より成る２本のアーム６をラチェット５により紙の空パック１６等のリサイクルに供せられる容器を保持部７で挟むことにより吊り下げて、アーム６をラチェット５により任意の角度で固定し、保持する。
【発明の効果】
【００１６】  以上の説明から明らかなように、本発明にあっては次に列挙する効果が得られる。
（１）袋１３を開いている状態、あるいはラップ１５等を広げている状態を保持して乾かすため、袋１３やラップ１５等の表面に空気が循環され効率よく乾かすことができる。【００１７】  （２）また、紙の空パック１６等のリサイクルに供せられる容器の開口部１７を下にした状態を保持するのでまとまった水滴は重力で下に落ち、また、保持部７で外側を挟むことにより吊り下げて保持するため、容器の内側には挿入物が無いので空気の通りが良く乾燥が速い。【００１８】  （３）使用した袋１３やラップ１５、紙の空パック１６等のリサイクルに供せられる容器を洗浄して再利用することにより、資源を有効に活用することを促進する。【００１９】  （４）磁石１により、金属面１２に固定して保持するため、乾かすことのできる場所の選択範囲が広い。【００２０】  （５）固定して保持する金属面１２は水平面でも垂直面でもあるいは任意の角度を持つ面でも良い。【００２１】  （６）磁石１で金属面１２に保持できるので、使わないときは収納でき、必要なときはすぐに使える。【００２２】  （７）磁石１で金属面１２に保持できるので、乾燥用具として使用しない場合は、フックとして菜ばしやふきん等の比較的軽いものを掛けたり、また、メモクリップ用マグネット等としても使用できる。【００２３】  （８）ラチェット５により形状を変化できるので、任意の大きさの袋１３やラップ１５、紙の空パック１６等のリサイクルに供せられる任意の形状および任意の容量を有する容器に対応が可能である。【００２４】  （９）形状を変化できるので、収納する場合でも保管に場所を取らない。【００２５】  （１０）頭頂部２を頭や胴体に、アーム６を腕に見立てて、人や動物、キャラクター等が腕を広げたり、掴んだりしている様子を表現する等の装飾を施すことが容易である。【００２６】  （１１）構造が簡単なため、廉価に製造できる。
【発明を実施するための最良の形態】
【００２７】
【００２８】  以下、図面に示す発明を実施するための最良の形態により、本発明を詳細に説明する。【００２９】  耐水性のある素材より成る任意の形状の少なくとも２本のアーム６と頭頂接続部３を、頭頂接続軸４を介して接続し、アーム６を任意の位置で固定できるようにするためアーム６にラチェット５を設置する。
アーム６の本数は２本以上でも良いが、ラチェット５の設置が複雑になるので、２本が好ましい。【００３０】  頭頂接続部３の頭頂部２に磁石１を付設する。洗浄されたものに接するため、磁石１は防水を考慮し、頭頂部２に内蔵されることが望ましい。【００３１】  アーム６の先端の保持部７で紙の空パック１６等のリサイクルに供せられる容器を挟むことにより吊り下げて保持できるように滑り止め８を設けた保持部７を設置する。滑り止め８は、アーム６の固定位置に拘わらず一定である。【００３２】  保持部７の滑り止め８は、丸い形状等を保持する場合は、形状を山切りや半丸凹形状にしても良い。【００３３】  本発明を実施するための最良の第１の形態では、より使用者の利便に供するよう保持部７の中央に指が入る指掛け孔９を穿設し、また、指掛け部１０を設置している。勿論、このことが本発明の技術的範囲を限定するものではないことは言うまでもない。【００３４】  また、乾燥させる対象物が紙の空パック１６等のリサイクルに供せられる容器のようにアーム６の保持部７で挟むことにより吊り下げて保持する場合は、磁石１の代わりに吸盤による取り付けや、フックにより吊り下げることも可能である。勿論、このことが本発明の技術的範囲を限定するものではないことも言うまでもない。【００３５】  本発明の形状は、効果や目的を妨げるものでなければ任意でよいので、例えば、頭頂部２を頭や胴体に、アーム６を腕に見立てて、人や動物、キャラクター等が腕を広げたり、掴んだりしている様子を表現する等の装飾を施すことが可能である。勿論、このことが本発明の技術的範囲を限定するものではないことも言うまでもない。【００３６】  次に本発明の使用方法について詳細に説明する。【００３７】  洗浄した袋１３の乾燥を促進する場合は、袋１３の中に本発明を入れ、アーム６を任意の位置で止めて固定し、袋１３の底にほぼ垂直に対向させて袋の開口部１４を開いた状態をアーム６で保持しながら、袋１３を通して頭頂部２の磁石１で金属面１２に保持固定する。【００３８】  洗浄したラップ１５等の乾燥を促進する場合は、ラップ１５等を本発明にかぶせ、袋１３の場合と同様に、アーム６を任意の位置に固定し、かぶせたラップ１５等が広がった状態を保持しながらラップ１５等を通して頭頂部２の磁石１で金属面１２に保持固定する。【００３９】  金属面１２がない場合は、任意の場所に金属プレートを設置して使用する。【００４０】  アーム６の開閉については、開く場合はラチェット５の突状部１１をラチェット５の軸方向に離すように広げてラチェット５を解除し、アーム６を内側から押し広げるように開く。また、閉じる場合はアーム６の指掛け孔９および指掛け部１０を持ち、絞るようにアーム６を閉じる。【００４１】  アーム６を固定する位置は、袋１３、ラップ１５、紙の空パック１６等のリサイクルに供せられる容器などの、乾かす対象の大きさや形状により決定する。【００４２】  アーム６を固定する角度は乾燥させる袋１３やラップ１５等が充分開く程度、あるいは紙の空パック１６等のリサイクルに供せられる容器が落下しない程度の挟む力によって保持されている角度であれば任意で良い。【００４３】  乾燥後、または、本発明を使用し��いときには、アーム６を任意の形状にして金属面１２に付着させて保持する。【００４４】  また、金属面１２に付着させて保持している状態では、フックとして菜ばしやふきん等の比較的軽いものを掛けたり、また、メモクリップ用マグネット等としても使用できる。【００４５】  アーム６の保持部７で挟むことによって保持できるものは、紙の空パック１６のほか、ペットボトル、アルミまたは鉄の缶、トレイ等リサイクルに供することのできるもののほとんどが可能である。
【産業上の利用可能性】
【００４６】  以上のように本発明は洗浄した袋１３やラップ１５、紙の空パック１６等のリサイクルに供せられる容器において、空気の通りを良くして乾燥を促進するため、袋１３を開いている状態、ラップ１５を広げている状態、あるいは紙の空パック１６等のリサイクルに供せられる容器の開口部１７を下にした状態を保持するための乾燥用具に関するものであり、かつ、構造が簡単で廉価に提供できると共に、使用上極めて好都合である等幾多の産業的効果を奏するものである。
【図面の簡単な説明】
【００４７】
【図１】本発明を実施するための最良の第１の形態の斜視図
【図２】本発明を実施するための最良の第１の形態におけるラチェットの拡大側面図
【図３】本発明を実施するための最良の第１の形態の袋を乾燥させている状態の平面図
【図４】本発明を実施するための最良の第１の形態のラップを乾燥させている状態の平面図
【図５】本発明を実施するための最良の第１の形態の紙の空パックを乾燥させている状態の平面図
【符号の説明】
【００４８】１、は磁石
２、は頭頂部
３、は頭頂接続部
４、は頭頂接続軸
５、はラチェット
６、はアーム
７、は保持部
８、は保持部の滑り止め
９、は指掛け孔
１０、は指掛け部
１１、はラチェットの突状部
１２、は金属面
１３、は袋
１４、は袋の開口部
１５、はラップ
１６、は空の紙パック
１７、は空の紙パックの開口部
【図１】
2007068944.tif 000003
【図２】
2007068944.tif 000004
【図３】
2007068944.tif 000005
【図４】
2007068944.tif 000006
【図５】
2007068944.tif 000007